(57)【要約】【課題】  レバーの走査領域を最低限に抑え得且つ時計輪列の噛合・同解除が確実に行なわれ得る電子時計を提供すること【解決手段】  電子時計１は、通常運針位置と針回し位置との間で出入れ可能な巻真５０に一端部で係合され、巻真の出入れに応じて回転中心軸線のまわりで回動可能な本体部を備えたレバー７０と、共通中心軸線Ｃのまわりで同心に回転される第一及び第二の車２０，４０と共通中心軸線と平行な別の中心軸線Ｄのまわりで回転され該第一及び第二の車に噛合された第三の車３０とを備えた時計輪列９と、第三の車の真の一端を回転自在に支持する軸受部を備え、第三の車の中心と第一及び第二の車の中心とを結ぶ方向に移動可能に支持体２に支持され、レバーの他端側に係合され、巻真５０が引出された際、第三の車と第一の車との噛合を解除すべく第三の車の真を第一の車から離間方向に平行移動されるスライド部材６０とを有する。【選択図】  図１
2007024759.tif 000002
【特許請求の範囲】
【請求項１】
通常運針位置と針回し位置との間で出入れ可能な巻真に一端部で係合され、前記巻真の出入れに応じて回転中心軸線のまわりで回動可能な本体部を備えたレバーと、
共通中心軸線のまわりで同心に回転される第一及び第二の車と該共通中心軸線と平行な別の中心軸線のまわりで回転され該第一及び第二の車に噛合された第三の車とを備えた時計輪列と、
前記第三の車の真の一端を回転自在に支持する軸受部を備え、該第三の車の中心と前記第一及び第二の車の中心とを結ぶ方向に対して平行な方向に移動可能に静置支持体に支持されると共に前記レバーの他端側に係合されたスライド部材であって、巻真が通常運針位置から針回し位置に引出された際、前記第三の車と前記第一の車との噛合を解除すべく前記第三の車の真を前記第一の車から離間させるように平行移動されるものと
を有する時計。
【請求項２】
前記第三の車が三番車であり、前記第一及び前記第二の車が分車及び秒車である請求項１に記載の時計。
【請求項３】
前記レバーは、前記巻真が通常運針位置にある際に採る通常位置から前記巻真が針回し位置にある際に採る並進位置に該レバーの本体部に偏倚力を及ぼすばね部を有する請求項１又は２に記載の時計。
【請求項４】
前記スライド部材及び前記静置支持体のうちの一方が前記第三の車と前記第一の車とを結ぶ方向に延在した長穴を備え、前記スライド部材及び前記静置支持体のうちの他方が該長穴に遊嵌される突起部を備える請求項１から３までのいずれか一つの項に記載の時計。
【請求項５】
前記突起部が、一列に並んだ複数の突起部分からなる請求項４に記載の時計。
【請求項６】
前記スライド部材が係合溝部を備え、前記レバーが該係合溝部に係合される腕部分を備える請求項４又は５に記載の時計。
【請求項７】
前記レバーの前記腕部分が回転中心軸線から延びた一方の腕部の中間に形成されている請求項４に記載の時計。
【請求項８】
前記レバーがリセットレバーである請求項７に記載の時計。
【請求項９】
前記レバーの前記腕部分が回転中心軸線から延びた一方の腕部から分岐して延びている請求項６に記載の時計。
【請求項１０】
前記レバーの前記腕部分が回転中心軸線から巻真係合部まで延びた腕部の中間部分から分岐している請求項９に記載の時計。
【請求項１１】
前記スライド部材がレバー係合突起部を備え、前記レバーは、該レバー係合突起部が遊嵌される長穴を備える請求項４又は５に記載の時計。
【請求項１２】
前記静置支持体が地板又は輪列受からなる請求項１から１１までのいずれか一つの項に記載の時計。
【発明の詳細な説明】
【技術分野】
【０００１】
本発明は、時計に係り、より詳しくは、針回しのために時計輪列が係脱されるタイプの時計に係る。
【背景技術】
【０００２】
電子時計において、通常運針時にはモータの回転を秒車に伝達すると共に該秒車の回転を三番車を介して分車や時車に伝達する時計輪列について、針回しの際には巻真の回転に伴う時車や分車の回転が秒車その他の増速側に伝達されるのを避けるべく三番車と分車（二番車）との噛合を解除する三番車外し構造は、知られている。
【０００３】
従来の三番車外し構造では、典型的には、巻真の出入れにより回動されるレバーの腕部に三番車の一方のほぞ部を回転自在に支持するほぞ穴が形成され、該レバーの回動により三番車と二番車とが噛合されたり該噛合が解除される（特許文献１）。
【０００４】
しかしながら、三番車の真の一端側のほぞ部は、レバーの回動に伴い回動されるほぞ穴に嵌合されているので、三番車と二番車との噛合・同解除の際に、三番車が該三番車の中心と二番車の中心とを結ぶ方向に対して多少なりとも斜めに回動されるのを避け難く、結果として、噛合・同解除が確実に行なわれ難い虞れがある。なお、三番真のほぞ部が嵌合されるレバーのほぞ穴の移動方向が該三番車の中心と二番車の中心とを結ぶ方向に極力一致するようにするためには、ほぞ穴のあるレバーの腕部の長さを長くする必要があり、該レバーの腕部が長くなると該レバーの回動の際に該腕部が走査する領域の面積が増大することから、他の部品の配置を制約する虞れもある。
【０００５】
なお、巻真の出し入れにより回動される第一のレバーの一つの腕部に該第一のレバーの該腕部に係合されて回動される第二のレバーを備え、該第二のレバーが三番車の一方のほぞ部に回転自在に嵌合される穴を備え、該第二のレバーの回動により三番車と二番車との噛合や該噛合の解除が行なわれるようにした三番車外し構造も知られている（特許文献２）。
【０００６】
しかしながら、このように複数のレバーを有する場合でも、三番車の真の一端側のほぞ部は、三番車と二番車との噛合・同解除の際に、三番車が該三番車の中心と二番車の中心とを結ぶ方向に対して多少なりとも斜めに回動されるのを避け難く、結果として、噛合・同解除が効果的に行なわれ難い虞れがある。また、複数のレバー有する場合、レバー全体の走査領域を大きくする必要があり、結果としてレバーが全体として走査する領域の面積が増大することから、他の部品の配置を制約する虞れもある。
【特許文献１】特開昭６３−１７３９９１号公報
【特許文献２】実公平７−２３７５７号公報
【発明の開示】
【発明が解決しようとする課題】
【０００７】
本発明は、前記した点に鑑みなされたものであって、その目的とするところは、レバーの走査領域が大きくなるのを最低限に抑え得且つ時計輪列の噛合・同解除が確実に行なわれ得る時計を提供することにある。
【課題を解決するための手段】
【０００８】
本発明の時計は、前記目的を達成すべく、通常運針位置と針回し位置との間で出入れ可能な巻真に一端部で係合され、巻真の出入れに応じて回転中心軸線のまわりで回動可能な本体部を備えたレバーと、共通中心軸線のまわりで同心に回転される第一及び第二の車と該共通中心軸線と平行な別の中心軸線のまわりで回転され該第一及び第二の車に噛合された第三の車とを備えた時計輪列と、前記第三の車の真の一端を回転自在に支持する軸受部を備え、該第三の車の中心と前記第一及び第二の車の中心とを結ぶ方向に対して実質的に平行な方向に移動可能に静置支持体に支持されると共に前記レバーの他端側に係合されたスライド部材であって、巻真が通常運針位置から針回し位置に引出された際、第三の車と第一の車との噛合を解除すべく第三の車の真を第一の車から離間させるように平行移動されるものとを有する。
【０００９】
本発明の時計では、「通常運針位置と針回し位置との間で出入れ可能な巻真に一端部で係合され、巻真の出入れに応じて回転中心軸線のまわりで回動可能な本体部を備えたレバー」に加えて、「第三の車の真の一端を回転自在に支持する軸受部を備え、該第三の車の中心と第一及び第二の車の共通の回転中心とを結ぶ方向に対して実質的に平行な方向に移動可能に静置支持体に支持されると共に前記レバーの他端側に係合されたスライド部材であって、巻真が通常運針位置から針回し位置に引出された際、第三の車と第一の車との噛合を解除すべく第三の車の真を第一の車から離間させるように平行移動されるもの」が設けられているから、巻真の出し入れに応じてレバーが回動され、該レバーの回動に応じて、スライド部材が、実質的に第三の車の中心と第一及び第二の車の共通中心とを結ぶ方向に平行移動されるので、巻真の出し入れに応じて、第三の車が第一の車に対して該第一の車の半径方向内向きに真直ぐ近接されて該第一の車に噛合され、また第一の車から該第一の車の半径方向外向きに離間されて該第一の車と第三の車との噛合が解除され得る。従って、第三の車と第一の車との噛合及びその解除が確実に行なわれ得る。また、本発明の時計では、「第三の車の真の一端を回転自在に支持する軸受部を備えたスライド部材が実質的に第三の車の中心と第一及び第二の車の中心とを結ぶ方向に平行移動可能に静置支持体に支持されている」ので、実際上レバーの腕の長さや向きにかかわらず、該レバーの回動により第三の車が該第三の車の中心と第一及び第二の車の中心とを結ぶ方向に直線的に第一の車に対して近接・離間され得る。従って、レバーやスライド部材が走査される範囲が最小限に抑えられ得るから、他の時計部品の配置の自由度が増す。
【００１０】
本発明の時計では、典型的には、第三の車が三番車であり、第一及び第二の車が分車及び秒車である。
【００１１】
その場合、「レバーが、通常運針位置と針回し位置との間で出入れ可能な巻真に一端部で係合され、巻真の出入れに応じて回転中心軸線のまわりで回動可能な本体部を備え」、且つ「スライド部材が、三番車の真の一端を回転自在に支持する軸受部を備え、該三番車の中心と分車及び秒車の共通の回転中心とを結ぶ方向に対して実質的に平行な方向に移動可能に静置支持体に支持されると共に前記レバーの他端側に係合され、巻真が通常運針位置から針回し位置に引出された際、三番車と分車との噛合を解除すべく三番真を分車から離間させるようにスライド部材が平行移動される」から、巻真の出し入れに応じてレバーが回動され、該レバーの回動に応じて、スライド部材が、実質的に三番車の中心と分車及び秒車の共通中心とを結ぶ方向に平行移動されるので、巻真の出し入れに応じて、三番車が分車に対して該分車の半径方向内向きに真直ぐ近接されて該分車に噛合され、また分車から該分車の半径方向外向きに離間されて該分車と三番車との噛合が解除され得る。従って、三番車と分車との噛合及びその解除が確実に行なわれ得る。また、その場合、「三番真の一端を回転自在に支持する軸受部を備えたスライド部材が実質的に三番車の中心と分車及び秒車の共通中心とを結ぶ方向に平行移動可能に静置支持体に支持されている」ので、実際上レバーの腕の長さや向きにかかわらず、該レバーの回動により三番車が該三番車の中心と分車及び秒車の共通中心とを結ぶ方向に直線的に分車に対して近接・離間され得る。従って、レバーやスライド部材が走査される範囲が最小限に抑えられ得るから、他の時計部品の配置の自由度が増す。
【００１２】
本発明の時計では、典型的には、前記レバーは、巻真が通常運針位置にある際に採る通常位置から巻真が針回し位置にある際に採る並進位置へと該レバーの本体部に偏倚力を及ぼすばね部を有する。その場合、レバーを一方の回動位置に偏倚させるばね部材を別途設ける必要がない。なお、所望ならば、ばね部は、前述の代わりに、巻真が針回し位置にある際に採る並進位置から巻真が通常運針位置にある際に採る通常位置へと該レバーの本体部に偏倚力を及ぼすように構成されていてもよい。ばね部は、レバーに設けられる代わりに、地板のような静置支持体に一体的に設けられていてもよい。
【００１３】
本発明の時計では、スライド部材及び静置支持体のうちの一方が第三の車と第一の車とを結ぶ方向に延在した長穴を備え、スライド部材及び静置支持体のうちの他方が該長穴に遊嵌される突起部を備える。すなわち、スライド部材が長穴を備える場合には静置支持体が該長穴に遊嵌される突起部を備え、静置支持体が長穴を備える場合には、スライド部材が該長穴に遊嵌される突起部を備える。
【００１４】
本発明の時計では、典型的には、突起部が、一列に並んだ複数の突起部分からなる。但し、所望ならば、一つの突起部が細長く形成されていても、複数の長穴の夫々に複数の突起部分が夫々遊嵌されていてもよい。
【００１５】
本発明の時計では、スライド部材が係合溝部を備え、レバーが該係合溝部に係合される腕部分を備えていても、スライド部材がレバー係合突起部を備え、レバーは、該レバー係合突起部が遊嵌される長穴を備えていてもよい。
【００１６】
前者の場合、典型的には、レバーの前記腕部分が回転中心軸線から延びた一方の腕部の中間に形成される。この場合、レバーが、典型的には、リセットレバーからなる。また、この場合、典型的には、レバーの前記腕部分が回転中心軸線から延びた一方の腕部から分岐して延びる。
【００１７】
後者の場合、典型的には、レバーの前記腕部分が回転中心軸線から巻真係合部まで延びた腕部の中間部分から分岐している。
【００１８】
以上において、静置支持体は、典型的には、地板又は輪列受からなる。但し、地板の代わりに中枠であってもよく、また、輪列受は、Ｎ番受（Ｎは三等の数）と呼ばれるものであってもよい。
【００１９】
なお、本発明の時計は、典型的には、モーター駆動の電子時計からなるけれども、その代わりに、機械式の時計であってもよい。
【発明を実施するための最良の形態】
【００２０】
次に、本発明の好ましい実施の形態のいくつかを添付図面に示した好ましい実施例に基づいて説明する。
【実施例】
【００２１】
本発明の好ましい一実施例の電子時計１は、図１及び図２に示したように、地板２の文字板側（以下では「裏側」という）に配置された時車ないし筒車１０と、地板２の裏蓋側（以下では「表側」という）に配置された分車ないし二番車２０と、三番車３０と、秒車ないし四番車４０とを有する。筒車１０、二番車２０及び四番車４０は、厚さ方向Ｚに延びた共通の中心軸線Ｃに沿って同軸に配置され該中心軸線Ｃのまわりで回転される。筒車１０は、筒歯車部１１と円筒状の真部ないし胴部１２とを備える。
【００２２】
二番車２０は、二番歯車２１及び二番かな２２を含む本体部２３と該本体部２３が嵌着された真ないし軸２４とを備え、ほぼ円筒状の二番真２４は、地板２の軸受部２ａに回転自在に嵌合されて地板２の裏側に突出している。
【００２３】
三番車３０は、三番歯車３１及び三番かな３２を備え、軸方向長さが比較的長い三番かな３２には、二番歯車２１が噛合されている。三番車３０の真ないし軸３３は、表側端部３４で輪列受３の軸受部３ａにより回転自在に支持され、裏側端部ないしほぞ部３５でスライド部材としての三番外し座６０の軸受部６１により中心軸線Ｄのまわりで回転自在に支持されている。中心軸線Ｄは、中心軸線Ｃと平行である。
【００２４】
四番車４０は、四番歯車４１及び四番かな４２を含む本体部４３と、該本体部４３が嵌着された真ないし軸４４とを備える。Ｚ方向に比較的長い四番かな４２には、三番歯車３１が噛合している。四番真４４は、四番かな４２の端面４５で二番真２４の表側端面２５に摺動可能に当接し、ソロバン玉状部４６で円筒状二番真２４に摺動自在に嵌合されている。四番真４４の先端側真部４７は該二番真２４を−Ｚ方向に貫通して裏側に突出している。
【００２５】
電子時計１は、図２に加えて図１に示したように、時計輪列９として、モータのロータ６に固定されたロータかなないし六番車６ａと、該六番車６ａに歯車部５ａで噛合しかな部５ｂで四番歯車４１に噛合した五番車５と、二番かな部２２に歯車部８ａで噛合しかな部８ｂで筒歯車１１に噛合した日の裏車ないし八番車８とを有する。
【００２６】
従って、電子時計１では、通常運針時には、モータのロータ６の回転に応じた輪列６ａ，５，４０，３０，２０，８，１０の回転により、時車１０、分車２０及び秒車４０の真１２，２４，４４の先端部１３，２６，４７に取付けられた時・分・秒の時刻表示針１４，２７，４８が回転される。
【００２７】
電子時計１は、更に、図１に示したように、Ａ１，Ａ２方向に出し入れ可能に且つ中心軸線Ｂのまわりで回転可能に地板２の穴ないし凹部（図示せず）に装着された巻真５０を備える。巻真５０は、先端側及び中間の小径軸部５１，５２と、該小径軸部５１，５２間の円柱状大径軸部５３と、先端の角柱部５４とを含む。巻真５０の先端近傍には、地板２の凹部２ｂに嵌込まれたつづみ車５５が嵌合されている。つづみ車５５は、先端側に歯車部５６を備えると共に、基端側大径穴５７及び先端側角穴５８を備える。つづみ車５５の歯車部５６は直接的に又は小鉄車（図示せず）の如き中間車を介して日の裏車８に噛合されている。大径穴５７は、巻真５０の大径軸部５３が回転自在に嵌合される大きさであり、角穴５８は、巻真５０の角柱部５４が丁度嵌合される大きさ及び形状である。つづみ車５５は、地板２の凹部２ｂ内に配置された状態において、地板２に対するＡ１，Ａ２方向の相対変位が禁止されると共に、中心軸線Ｂのまわりにおける回転が許容されている。
【００２８】
従って、巻真５０が、Ａ２方向に押込まれた巻真０段目ないし通常運針位置Ｐ０にある場合、図１に示したように、巻真５０の先端側小径軸部５１及び大径軸部５３が夫々つづみ車５５の角穴５８及び大径穴５７に回転自在に嵌合されるので、つづみ車５５は地板２の凹部２ｂ内で巻真５０に対して回転自在である。従って、時計輪列９は、巻真５０によって規制されることなく、モータのロータ６の回転に応じて回転され時刻表示が行なわれる。一方、巻真５０が、Ａ１方向に引出された巻真１段目ないし針回し位置Ｐ１にある場合、図３に示したように、巻真５０の角柱部５４がつづみ車５５の角穴５８に嵌合されるので、巻真５０の回転がつづみ車５５を介して日の裏車８に伝達されて、針回しが行なわれる。
【００２９】
電子時計１において、スライド部材としての三番外し座６０は、図５に示したように、細長い板状の本体部６２と、本体部６２の一端側において裏蓋側に突出した突起部の形態で軸受穴６３を備えた前記軸受部６１と、本体部６２の他端側において裏蓋側に突出したピン状突起部６４と、本体部６２の両端において地板側に突出した一対の同径の円柱状のスライドピン部６５，６６とを有する。軸受部６１とピン状突起部６４との間には、凹部６７が形成され、軸受部６１及びピン状突起部６４の該凹部６７に面する表面は、滑らかな凸状に湾曲している。ピン状突起部６４とスライドピン部６６とは一直線状に整列し、ピン状突起部６４及びスライドピン部６６の一外側縁部６４ａ，６６ａは、本体部６２の端縁６８と実際上面一である。但し、端縁６８よりも内側にあってもよい。
【００３０】
地板２は、図２や図４に加えて図６に示したように、裏蓋側の表面２ｃに、長穴形成表面領域２ｄを備え、該長穴形成領域２ｄには長穴ないしスリット２ｅが形成されている。長穴形成領域２ｄは、裏蓋側表面２ｃの他の領域２ｈと同じ高さであっても、三番外し座６０の配置・変位領域を他の領域と画成する凹部になっていてもよい。長穴２ｅの長手方向Ｅは、回転中心軸線Ｄ及び回転中心軸線Ｃを結ぶ線分Ｈ（図１参照）の延在方向と一致している。即ち、長穴２ｅは、回転中心軸線Ｃ，Ｄを結ぶ方向に延びている。長地板２の長穴２ｅには、三番外し座６０のスライドピン部６５，６６がＥ方向すなわちＥ１，Ｅ２方向に摺動自在に嵌合されている。スライドピン部６５，６６の径は、長穴２ｅの幅にほぼ一致している。
【００３１】
従って、三番外し座６０は、スライドピン部６６の外側縁部６６ａが長穴２ｅの一端縁２ｆに当接する通常運針位置Ｑ０と、スライドピン部６５の外側縁部６５ａが長穴２ｅの他端縁２ｇに当接する針回し位置Ｑ１との間で、Ｅ１，Ｅ２方向に平行移動可能である。なお、位置Ｑ０，Ｑ１において、ピン部６６，６５の外側縁６６ａ，６５ａが長穴２ｅの端縁２ｆ，２ｇに当接する代わりに、該端縁２ｆ，２ｇに近接してもよい。なお、座部材６０がＥ方向に平行移動される限り、スライド係合部が、複数のピン６５，６６からなる代わりに、Ｅ方向に細長い一つの突起からなっていてもよい。
【００３２】
電子時計１は、更に、巻真５０のＡ１，Ａ２方向の出し入れに応じて回動中心軸７１のまわりでＦ１，Ｆ２方向に回動されるリセットレバー７０を備える。
【００３３】
リセットレバー７０は、全体としてタツノオトシゴ状の平面形状を備え、軸７１の一方の側に、巻真５０の先端部に当たる剛性当接部７２と入力側腕部７３とを備えた入力側レバー部７４を有し、軸７１の他方の側に、レバー本体部７５と、Ｕ字状ばね部７６とを備えた出力側レバー部７７とを有する。出力側レバー部７７は、Ｕ字状ばね部７６の先端係合部７８で地板２に形成された係止突起２ｈに係止され、レバー本体部７５の中間部にある座係合腕部７９で三番外し座６０の凹部６７に係合している。
【００３４】
従って、図１及び図２に示したように、巻真５０がＡ２方向に押込まれて通常運針位置Ｐ０に達する場合、巻真５０の先端部５４がその側縁部でリセットレバー７０の入力側レバー部７４の剛性当接部７２の先端に当たってリセットレバー７０の入力側レバー部７４をＦ２方向に回動させる。従って、リセットレバー７０の出力側レバー部７７のレバー本体部７５が、Ｕ字状ばね部７６の弾性力に抗してＦ２方向に回動され、レバー本体部７５の座係合腕部７９がＬ２方向に移動されて、該座係合腕部７９が凹部６７に嵌り込んだ三番外し座６０にＬ２方向の変位力を及ぼす。三番外し座６０は、スライドピン６５，６６と長穴２ｅとの嵌合により、変位可能な方向がＥ方向に規制されているので、三番外し座６０は、長穴２ｅの延在方向Ｅに沿ってＥ２方向に変位される。この変位は、三番外し座６０のスライドピン部６６が外側縁６６ａで長穴２ｅの一端２ｆに当接するところで、停止する。三番外し座６０のＥ２方向変位に伴いＦ２方向に揺動されるレバー本体部７５の座係合腕部７９は、僅かにＧ２方向に突出する位置（通常位置）を採る。即ち、三番外し座６０は、レバー本体部７５の座係合腕部７９の厳密な変位方向にかかわらずそのＥ方向変位成分に応じて、Ｅ２方向に平行移動される。三番外し座６０が、Ｅ２方向に変位されて通常運針位置Ｑ０に達すると、三番外し座６０の軸受部６１に三番真３３の一端ほぞ部３５が嵌合された三番車３０は、その中心軸線が回転中心軸線Ｄに一致する位置Ｊ０に達すると共に三番かな３２が二番歯車２１に所定の噛合い深さで噛合する。この三番かな３２と二番歯車２１との噛合に際して、三番車３０は、丁度、両方の車３０，２０の中心軸線Ｄ，Ｃを結ぶ方向Ｅに沿って径方向に近接されるので、三番車３０も二番車２０も実際上回転する必要がないから、該噛合が確実に行なわれ得る。なお、この噛合に際して一方又は両方の車３０，２０が若干回転する必要がある場合でも、相互に当接し合う部位において歯面に沿って噛合いが進行する際に周方向力が確実にかかるので、従来のように斜めに近接される可能性がある場合と比較して、噛合が確実に行なわれ得る。
【００３５】
一方、図３及び図４に示したように、巻真５０がＡ１方向に引出されて針回し位置Ｐ１に達する場合、側縁部でリセットレバー７０の入力側レバー部７４の剛性当接部７２の先端に当たっていた巻真５０の先端部５４がリセットレバー７０の剛性当接部７２からＡ１方向に逃げる。従って、図３に示したように、剛性当接部７２に対するＦ２方向押圧力が解除されるので、リセットレバー７０のレバー本体部７５は、Ｕ字状ばね部７６のばね力によって、Ｆ１方向に回動される。その結果、レバー本体部７５の座係合腕部７９がＬ１方向に移動されて、該座係合腕部７９が凹部６７に嵌り込んだ三番外し座６０にＬ１方向の変位力を及ぼす。三番外し座６０は、スライドピン６５，６６と長穴２ｅとの嵌合により、変位可能な方向がＥ方向に規制されているので、三番外し座６０は、長穴２ｅの延在方向に沿ってＥ１方向に変位される。この変位は、三番外し座６０のスライドピン部６５が外側縁６５ａで長穴２ｅの他端２ｇに当接するところで、停止する。三番外し座６０のＥ１方向変位に伴いＦ１方向に揺動されるレバー本体部７５の座係合腕部７９は、僅かにＧ１方向に引っ込んだ位置（並進位置）を採る。即ち、三番外し座６０は、レバー本体部７５の座係合腕部７９の厳密な変位方向にかかわらずそのＥ方向変位成分に応じて、Ｅ１方向に平行移動される。三番外し座６０が、Ｅ１方向に変位されて針回し位置Ｑ１に達すると、三番外し座６０の軸受部６１に三番真３３の一端が嵌合された三番車３０は、その中心軸線が回転中心軸線Ｄに対して大きく傾斜した噛合解除位置Ｊ１に達すると共に三番かな３２と二番歯車２１との噛合が完全に解除される。この三番かな３２と二番歯車２１との噛合解除に際して、三番車３０は、丁度、両方の車３０，２０の中心軸線Ｄ，Ｃを結ぶ方向Ｅに径方向に離間されるので、三番かな３２と二番歯車２１との噛合解除に際して三番車３０も二番車２０も実際上回転する必要がないから、該噛合解除が確実に行なわれ得る。
【００３６】
この例では、リセットレバー７０が回動中心７１のまわりでＦ１，Ｆ２に回動される際における座係合腕部７９の変位方向Ｌ１，Ｌ２が線分Ｈの延在方向にほぼ一致しているけれども、電子時計１では、変位方向Ｌ１，Ｌ２がＥ方向成分として夫々Ｅ１，Ｅ２を有する限り、座係合腕部７９のＬ１，Ｌ２方向変位に応じて三番外し座６０がＥ１，Ｅ２方向に変位され得るので、リセットレバー７０の回動中心７１の位置は比較的自由に選択され得る。従って、電子時計１では、レイアウトの自由度が高い。
【００３７】
電子時計は、図1等に示したタツノオトシゴ状の平面形状のリセットレバー７０のような長いものを備える代わりに、より短い三番外し専用のレバーを備えていてもよい。
【００３８】
図７には、そのような短い三番外しレバー７０ｖを備えた電子時計１ｖが示されている。図７に示した電子時計１ｖにおいて、図１等に示した電子時計1と同様な部材や部位や要素には同一の符号が付され、部分的に異なる点があるものには添字ｖが付されている。電子時計１ｖの三番外しレバー７０ｖは、図７及び図８に加えて図９の斜視図からわかるように、巻真５０のＡ１，Ａ２方向の出し入れに応じて回動中心軸７１ｖのまわりでＦ１，Ｆ２方向に回動されるもので、大まかには全体としてＹ字状の平面形状を備える。
【００３９】
より詳しくは、三番外しレバー７０ｖは、「Ｙ」字のうちの上部の部分８１は、「Ｕ」字状の形状をなし、「Ｕ」の一方の腕部７４ｖが巻真５０の先端部に当たる剛性当接部７２ｖとこれを支える入力側腕部７３ｖとを有する入力側レバー部を形成している。腕部７４ｖは、「Ｕ」の底部をなす腕部８２を介して軸部７１ｖにつながっている。なお、この例では、三番外しレバー７０ｖの軸部７１ｖは、地板２から突設されたピン状突起部２ｊと、該突起部２ｊに回転自在に嵌合された穴部８３とからなる。軸部７１ｖの他方の側には、「Ｕ」の他方の腕部をなすように延在したアーム状ばね部７６ｖが形成され、該ばね部７６ｖは、先端係合部７８ｖで地板２に形成された係止突起部２ｈｖに係止されている。
【００４０】
三番外しレバー７０ｖは、更に、腕部８１の先端から「Ｙ」の脚部をなすように、延設された出力側レバー部７７ｖを備え、該出力側レバー部７７ｖは、三番外し座６０の凹部６７に係合された座係合腕部７９ｖを備える。
【００４１】
この三番外しレバー７０ｖは、回動中心軸７１ｖのまわりでＦ１，Ｆ２方向に回動自在で、係止突起部２ｈｖに係止されたばね部７６ｖによりＦ１方向の回動偏倚力を受け、巻真５０の先端係合部５４によりＦ２方向の回動力を受ける。
【００４２】
従って、電子時計１ｖでは、巻真５０が図７に示したようにＡ２方向に押込まれて通常運針位置Ｐ０に設定される場合、三番外しレバー７０ｖの剛性当接部７２ｖが巻真５０の先端部５４の側縁によりＫ２方向に押されるので、入力側レバー部７４ｖがＦ２方向の回動力を受け、三番外しレバー７０ｖは、ばね部７６ｖのばね力に抗してＦ２方向に回動される。従って、三番外しレバー７０ｖの出力側レバー部７７ｖを構成する座係合腕部７９ｖもＦ２方向に回動されて、Ｌ２方向に変位される。
【００４３】
座係合腕部７９ｖのＬ２方向変位に従い、凹部６７で座係合腕部７９ｖに係合した三番外し座６０もＬ２方向変位力を受ける。ところが、三番外し座６０は、スライドピン６５，６６と長穴２ｅとの係合により可動方向がＥ方向に規制されているので、三番外し座６０はＬ２方向の変位のうちＥ方向成分の向きに対応するＥ２方向に変位される。従って、座係合腕部７９ｖは、Ｌ２方向とＥ２方向とのズレに応じて、三番外し座６０の凹部６７に対してＧ２方向に変位され突出する。
【００４４】
すなわち、三番外しレバー７０ｖでは、座係合腕部７９ｖの変位方向Ｌ２が三番外し座６０の変位方向Ｅ２に対して比較的大きく傾いていることから三番外しレバー７０ｖの座係合腕部７９ｖが三番外し座６０に対してＧ２方向に比較的大きく突出される点を除き、電子時計１の場合と同様に、三番外し座６０をＥ２方向に変位させ、三番外し座６０を通常運針位置Ｑ０に位置決めする。従って、電子時計１ｖにおいても、電子時計１におけるのと同様に、三番車３０のかな部３２は、Ｅ方向に真直ぐ変位されて、二番車２０の歯車部２１と噛合する。電子時計１ｖにおける三番かな３２と二番歯車２１との噛合も、座係合腕部７９ｖの変位方向にかかわらず三番外し座６０のスライド方向Ｅに従って両歯車３２，２１の中心Ｄ，Ｃを結ぶ線分Ｈの延在方向に行われるので、その噛合が確実に行われ得る。
【００４５】
なお、電子時計１ｖが図７の通常運針位置にある場合、リセットレバー７０を三番外しレバー７０ｖとみなせば、電子時計１について図２に示した断面形状がそのまま電子時計１ｖにあてはまる。
【００４６】
一方、電子時計１ｖにおいて、巻真５０が図８に示したようにＡ１方向に引出されて針回し位置Ｐ１に設定される場合、巻真５０の先端部５４がＡ１方向に逃げるので、三番外しレバー７０ｖの剛性当接部７２ｖが巻真５０の先端部５４の側縁から外れるから、三番外しレバー７０ｖがばね部７６ｖのばね力によってＦ１方向に回動される。従って、三番外しレバー７０ｖの出力側レバー部７７ｖを構成する座係合腕部７９ｖもＦ１方向に回動されて、Ｌ１方向に変位される。
【００４７】
座係合腕部７９ｖのＬ１方向変位に従い、凹部６７で座係合腕部７９ｖに係合した三番外し座６０もＬ１方向変位力を受ける。ところが、三番外し座６０は、スライドピン６５，６６と長穴２ｅとの係合により可動方向がＥ方向に規制されているので、三番外し座６０はＬ２方向の変位のうちＥ方向成分の向きに対応するＥ１方向に変位される。従って、座係合腕部７９ｖは、Ｌ１方向とＥ１方向とのズレに応じて、三番外し座６０の凹部６７に対してＧ１方向に変位され引込む。
【００４８】
すなわち、三番外しレバー７０ｖでは、座係合腕部７９ｖの変位方向Ｌ１が三番外し座６０の変位方向Ｅ１に対して比較的大きく傾いていることから三番外しレバー７０ｖの座係合腕部７９ｖが三番外し座６０に対してＧ１方向に比較的大きく引込む点を除き、電子時計１の場合と同様に、三番外し座６０をＥ１方向に変位させ、三番外し座６０を針回し位置Ｑ１に位置決めする。従って、電子時計１ｖにおいても、電子時計１におけるのと同様に、三番車３０のかな部３２は、Ｅ方向に真直ぐ変位されて、二番車２０の歯車部２１との噛合が解除される。電子時計１ｖにおける三番かな３２と二番歯車２１との噛合解除も、座係合腕部７９ｖの変位方向にかかわらず三番外し座６０のスライド方向Ｅに従って両歯車３２，２１の中心Ｄ，Ｃを結ぶ線分の延在方向に行われるので、その噛合解除が確実に行われ得る。
【００４９】
なお、電子時計１ｖが図８の針回し位置にある場合、リセットレバー７０を三番外しレバー７０ｖとみなせば、電子時計１について図４に示した断面形状がそのまま電子時計１ｖにあてはまる。
【００５０】
この例の電子時計１ｖで典型的に示されているように、レバー７０ｖの回転中心７１から座係合腕部７９ｖまでの回転半径が小さくても、三番外し座６０により三番車３０と二番車２０との噛合及びその解除を確実に行い得るので、時計１ｖの小型化を図ることが可能になる。
【００５１】
また、この電子時計１ｖでも、変位方向Ｌ１，Ｌ２がＥ方向成分として夫々Ｅ１，Ｅ２を有する限り、座係合腕部７９ｖのＬ１，Ｌ２方向変位に応じて三番外し座６０がＥ１，Ｅ２方向に変位され得るので、レバー７０ｖの回動中心７１ｖの位置は比較的自由に選択され得るから、電子時計１ｖでは、レイアウトの自由度が高い。
【００５２】
なお、巻真５０のＡ１，Ａ２方向の出入りによりＦ１，Ｆ２方向に回動されるレバーと該レバーによりＥ１，Ｅ２方向に平行移動される三番外し座との係合は、三番外し座の凹部にレバーの一部が遊嵌される代わりに、レバーの凹部に三番外し座の一部が遊嵌されることにより実現されていてもよい。
【００５３】
次に、このようなリセットレバー７０ｗ及び三番外し座６０ｗを備えた電子時計１ｗの一例を図１０〜図１３に基づいて説明する。電子時計１ｗにおいて、図１〜図６に示した電子時計１と同様な部材、部位ないし要素には同一の符号が付され、部分的に異なる点があるものには、添字ｗが付されている。
【００５４】
電子時計１ｗにおいて、三番外し座６０ｗは、図５に示した三番外し座６０と比較して、軸受部６１とピン状突起部６４ｗとの間の凹部６７ｗの長さが短い点を除いて、三番外し座６０と同様に構成されている。
【００５５】
また、電子時計１ｗでは、地板２ｗが、二番車２０の軸受部２ａのうち長穴２ｅｗに面する側の表面部に係止突起部２ｋを備え、長穴２ｅｗが、軸受部２ａの表面ではなくて係止突起部２ｋの表面近傍まで延びている点を除いて、地板２と同様に構成されている。
【００５６】
更に、電子時計１ｗでは、出力側レバー部７７ｗの座係合腕部７９ｗが、長穴９１を備え、該長穴９１に三番外し座６０ｗのピン状突起部６４ｗが遊嵌され、その結果、座係合腕部７９ｗの長穴９１の一側壁９２が三番外し座６０ｗの凹部６７ｗに遊嵌されている点を除き、タツノオトシゴ状のリセットレバー７０ｗが、リセットレバー７０と同様に構成されている。なお、長穴９１は、リセットレバー７０ｗのＦ１，Ｆ２方向の回動に伴って座係合腕部７９ｗが回動中心軸７１のまわりでＦ１，Ｆ２方向に移動される際に、三番外し座６０ｗのピン状突起部６４ｗのＥ１，Ｅ２方向の直線的変位を可能にするような形状で細長く延びている。
【００５７】
以上の如く構成された電子時計１ｗでは、図１０及び図１１に示したように、巻真５０がＡ２方向に押込まれて通常運針位置Ｐ０に達する場合、巻真５０の先端部５４によりリセットレバー７０ｗの入力側レバー部７４がＦ２方向に回動され、リセットレバー７０ｗの座係合腕部７９ｗが、出力側レバー部７７ｗのＦ２方向回動に伴ってＬ２方向に移動され、該座係合腕部７９が側壁部９２において凹部６７ｗに嵌り込み長穴９１でピン状突起部６４ｗに遊嵌された三番外し座６０ｗに対してＬ２方向の変位力を及ぼす。三番外し座６０ｗは、スライドピン６５，６６ｗと長穴２ｅｗとの嵌合により、変位可能な方向がＥ方向に規制されているので、三番外し座６０ｗは、長穴２ｅｗの延在方向Ｅに沿ってＥ２方向に変位される。この変位は、リセットレバー７０ｗの側壁９３の外縁９４が地板２ｗの係止突起部２ｋに当接するところで、停止する。三番外し座６０ｗのＥ２方向変位に伴いＦ２方向に揺動されるレバー本体部７５ｗの座係合腕部７９ｗは、僅かにＧ２方向に突出する。この座係合腕部７９ｗのＧ２方向の突出は、三番外し座６０ｗのピン状突起部６４ｗに対して座係合腕部７９ｗの長穴９１が延在方向に変位することにより許容される。即ち、三番外し座６０ｗは、レバー本体部７５ｗの座係合腕部７９ｗの厳密な変位方向にかかわらずそのＥ方向変位成分に応じて、Ｅ２方向に平行移動される。三番外し座６０ｗが、Ｅ２方向に変位されて通常運針位置Ｑ０に達すると、三番外し座６０ｗの軸受部６１に三番真３３の一端ほぞ部３５が嵌合された三番車３０は、その中心軸線が回転中心軸線Ｄに一致する位置Ｊ０に達すると共に三番かな３２が二番歯車２１に所定の噛合い深さで噛合する。この三番かな３２と二番歯車２１との噛合に際して、三番車３０は、丁度、両方の車３０，２０の中心軸線Ｄ，Ｃを結ぶ方向Ｅに沿って径方向に近接されるので、該噛合が確実に行なわれ得る。
【００５８】
一方、図１２及び図１３に示したように、巻真５０がＡ１方向に引出されて針回し位置Ｐ１に達する場合、巻真５０の先端部５４がリセットレバー７０ｗの剛性当接部７２からＡ１方向に逃げる。従って、リセットレバー７０ｗのレバー本体部７５ｗは、Ｕ字状ばね部７６のばね力によって、Ｆ１方向に回動される。その結果、レバー本体部７５ｗの座係合腕部７９ｗがＬ１方向に移動されて、該座係合腕部７９ｗが側壁部９２及び長穴９１で凹部６７ｗ及びピン状突起部６４ｗに係合された三番外し座６０ｗに対してＬ１方向の変位力を及ぼす。三番外し座６０ｗは、変位可能な方向がＥ方向に規制されているので、三番外し座６０ｗは、長穴２ｅｗの延在方向に沿ってＥ１方向に変位される。この変位は、三番外し座６０ｗのスライドピン部６５が外側縁６５ａで長穴２ｅの端部２ｇに当接するところで、停止する。三番外し座６０ｗのＥ１方向変位に伴いＦ１方向に揺動されるレバー本体部７５ｗの座係合腕部７９ｗは、僅かにＧ１方向に引っ込む。この座係合腕部７９ｗのＧ１方向の引込みは、三番外し座６０ｗのピン状突起部６４ｗに対して座係合腕部７９ｗの長穴９１が延在方向に変位することにより許容される。即ち、三番外し座６０ｗは、レバー本体部７５ｗの座係合腕部７９ｗの厳密な変位方向にかかわらずそのＥ方向変位成分に応じて、Ｅ１方向に平行移動される。三番外し座６０ｗが、Ｅ１方向に変位されて針回し位置Ｑ１に達すると、三番外し座６０ｗの軸受部６１に三番真３３の一端ほぞ部３５が嵌合された三番車３０は、その中心軸線が回転中心軸線Ｄに対して大きく傾斜した噛合解除位置Ｊ１に達すると共に三番かな３２と二番歯車２１との噛合が完全に解除される。この三番かな３２と二番歯車２１との噛合解除に際して、三番車３０は、丁度、両方の車３０，２０の中心軸線Ｄ，Ｃを結ぶ方向Ｅに径方向に離間されるので、該噛合解除が確実に行なわれ得る。
【００５９】
以上においては、時計が電子時計からなる例について説明したけれども、時計は、電子時計の代わりに、機械式時計であってもよい。その場合、リセットレバーの代わりに、通常運針位置と針回し位置との間で出入れ可能な巻真に一端部で係合され巻真の出入れに応じて回転中心軸線のまわりで回動可能な本体部を備えた別のレバーが用いられる。
【図面の簡単な説明】
【００６０】
【図１】本発明による好ましい一実施例の電子時計が通常運針位置にある状態の平面説明図。
【図２】図１の電子時計の断面説明図。
【図３】図１の電子時計が針回し位置にある状態についての図１と同様な平面説明図。
【図４】図１の電子時計が図３の状態にある場合における図２と同様な断面説明図。
【図５】図１の電子時計の三番外し座の斜視説明図。
【図６】図１の電子時計の地板のうち三番外し座が係合する領域の斜視説明図。
【図７】本発明の一変形例の電子時計が通常運針位置にある状態についての図１と同様な平面説明図。
【図８】図７の電子時計が針回し位置にある状態についての図３と同様な平面説明図。
【図９】図７の電子時計の三番外しレバーについての斜視説明図。
【図１０】本発明の別の一変形例の電子時計が通常運針位置にある状態についての図１と同様な平面説明図。
【図１１】図１０の電子時計についての図２と同様な断面説明図。
【図１２】図１０の電子時計が針回し位置にある状態についての図３と同様な平面説明図。
【図１３】図１０の電子時計が図１２の状態にある場合における図４と同様な断面説明図。
【符号の説明】
【００６１】
１，１ｖ，１ｗ  電子時計
２，２ｗ  地板
２ｅ，２ｅｗ  長穴
２ｋ  係止部
３  輪列受
１０  筒車（時車）
２０  二番車（分車）
２１  二番歯車
２２  二番かな
２４  二番真
３０  三番車
３１  三番歯車
３２  三番かな
３３  三番真
３４，３５  端部（ほぞ部）
４０  四番車（秒車）
４１  四番歯車
４２  四番かな
４４  四番真
５０  巻真
５４  先端部
５５  つづみ車
６０，６０ｗ  三番外し座（スライド部材）
６１  軸受部
６３  穴
６４，６４ｗ  ピン状突起部
６４ａ，６６ａ  側縁
６５，６６，６６ｗ  スライドピン部
６７，６７ｗ  凹部
６８  端縁
７０，７０ｖ，７０ｗ  レバー
７１，７１ｖ  回動軸部
７２，７２ｖ  剛性当接部
７６，７６ｖ  ばね部
７９，７９ｖ，７９ｗ  座係合部
９１  長穴
９２，９３  側壁部
９４  側縁部
Ｃ，Ｄ  回転中心軸線
Ｅ，Ｅ１，Ｅ２  方向
Ｆ１，Ｆ２  回動方向
Ｈ  中心を結ぶ線分
Ｊ０  噛合位置
Ｊ１  噛合解除位置
Ｐ０，Ｑ０  通常運針位置
Ｐ１，Ｑ１  針回し位置
【図１】
2007024759.tif 000003
【図２】
2007024759.tif 000004
【図３】
2007024759.tif 000005
【図４】
2007024759.tif 000006
【図５】
2007024759.tif 000007
【図６】
2007024759.tif 000008
【図７】
2007024759.tif 000009
【図８】
2007024759.tif 000010
【図９】
2007024759.tif 000011
【図１０】
2007024759.tif 000012
【図１１】
2007024759.tif 000013
【図１２】
2007024759.tif 000014
【図１３】
2007024759.tif 000015